(57)【要約】【課題】端子台を薄くしても端子台を形成する稜辺部に歪みや撓みが生じるのを抑制し、高さを低減したラインフィルタを提供することを目的としている。【解決手段】ボビン１２は、端子台１８の開口部１７から実装面側に向かって端子台１８の下面よりも突出させるとともに、突起部１９は絶縁壁２０を有する稜辺部１６に設けた突起部１９の幅（Ｗ１）よりも他の稜辺部１６に設けた突起部１９の幅（Ｗ２）を大きくした構成としたものである。【選択図】  図１
2005026496.tif 000002
【特許請求の範囲】
【請求項１】
巻軸方向に貫通孔を有し、前記巻軸に巻線を巻回したボビンと、前記ボビンの貫通孔に一方の磁脚を挿入し、前記一方の磁脚に対向した他方の磁脚を前記ボビンの外側に配置した閉磁路磁芯と、前記ボビンおよび前記閉磁路磁芯を載置するとともに、複数の稜辺部で中心を囲うように開口部を有したロ字形状の端子台と、前記端子台の稜辺部の実装面側に有した突起部と、前記端子台の稜辺部に有し、前記閉磁路磁芯の他方の磁脚と前記ボビンとの間に突出させた絶縁壁と、前記端子台の実装面側の稜辺部に植設した端子ピンとを備え、前記ボビンは前記端子台の開口部から実装面側に向かって前記端子台の下面よりも突出させるとともに、前記突起部は前記絶縁壁を有する前記稜辺部に設けた前記突起部の幅よりも他の前記稜辺部に設けた前記突起部の幅を大きくしたラインフィルタ。
【請求項２】
前記端子ピンは、前記端子台の絶縁壁を有する前記稜辺部に設けるとともに、前記絶縁壁を有する稜辺部に対向する他の前記稜辺部に設けた請求項１に記載のラインフィルタ。
【請求項３】
前記端子ピンは、前記突起部の内側面よりも外側に位置するように植設した請求項１に記載のラインフィルタ。
【請求項４】
他の前記稜辺部に設けた前記突起部は、前記端子ピンを植設した前記稜辺部に設けた前記突起部の内側面の延長線よりも内側に位置するように記載した請求項３に記載のラインフィルタ。
【請求項５】
前記端子ピンは、少なくとも２つ設け、２つの前記端子ピン間に前記突起部を配置するとともに、２つの前記端子ピンを結ぶ連結線が前記突起部の内側面よりも外側に位置するように配置した請求項３に記載のラインフィルタ。
【発明の詳細な説明】
【０００１】
【発明の属する技術分野】
本発明は各種電子機器等に用いるラインフィルタに関するものである。
【０００２】
【従来の技術】
以下、従来のラインフィルタについて図面を参照しながら説明する。
【０００３】
図７は従来のラインフィルタの斜視図、図８は同ラインフィルタの下面図である。
【０００４】
図７、図８において、従来のラインフィルタは、巻軸方向に貫通孔を有し、この巻軸に巻線１を巻回したボビン２と、このボビン２の貫通孔に一方の磁脚３を挿入し、一方の磁脚３に対向した２つの他方の磁脚４をボビン２の外側に配置した日の字形状の閉磁路磁芯５と、ボビン２および閉磁路磁芯５を載置するとともに、複数の稜辺部６が日の字形状に一体成形された日の字形状の端子台７と、この端子台７の稜辺部６の実装面側に有した突起部８と、端子台７の稜辺部６に有し、閉磁路磁芯５の他方の磁脚４とボビン２との間に突出させた絶縁壁と、端子台７の実装面側の稜辺部６に植設した端子ピンとを備えた構成である。
【０００５】
この際、ボビン２は端子台７の内周側と中央の稜辺部６によって、閉磁路磁芯５は端子台７の外周の稜辺部６によって端子台７に支持され載置されており、また、端子台７の稜辺部６の実装面側に有した突起部８は実装基板と接触して、端子台７と実装基板との一定の距離が保持されている。
【０００６】
なお、この出願の発明に関連する先行技術文献情報としては、例えば、特許文献１が知られている。
【０００７】
【特許文献１】
特開平７−３１１８号公報
【０００８】
【発明が解決しようとする課題】
上記構成では、閉磁路磁芯５が端子台７の外周の稜辺部６に支持され載置されるので、端子台７の厚みを薄くすれば高さを低減できるものの、ボビン２が端子台７の中央の稜辺部６に支持され載置されるので、中央の稜辺部６によって制限され、一定以上は端子台７の厚みを薄くすることができない。
【０００９】
また、中央の稜辺部６を取り除くと、端子台７を形成する各稜辺部６に歪みや撓みが生じて割れ易くなるという問題点を有していた。
【００１０】
本発明は上記問題点を解決するもので、端子台を薄くしても端子台を形成する稜辺部に歪みや撓みが生じるのを抑制し、高さを低減したラインフィルタを提供することを目的としている。
【００１１】
【課題を解決するための手段】
上記問題点を解決するために本発明は以下の構成を有する。
【００１２】
本発明の請求項１に記載の発明は、特に、前記ボビンは前記端子台の開口部から実装面側に向かって前記端子台の下面よりも突出させるとともに、前記突起部は前記絶縁壁を有する前記稜辺部に設けた前記突起部の幅よりも他の前記稜辺部に設けた前記突起部の幅を大きくした構成である。
【００１３】
上記構成により、ボビンは端子台の開口部から実装面側に向かって端子台の下面よりも突出するので、端子台の厚みを極力薄くでき高さを低減できる。
【００１４】
特に、端子台を薄くしても、絶縁壁を有する稜辺部に設けた突起部の幅よりも他の稜辺部に設けた突起部の幅を大きくしているので、稜辺部の強度の低下を抑制し、端子台の歪みや撓みを防止することができる。
【００１５】
この際、絶縁壁を有する稜辺部は、絶縁壁によって、ある程度の強度を保持しており、その分、突起部は小さくても構わない。
【００１６】
本発明の請求項２に記載の発明は、特に、前記端子ピンは、前記端子台の絶縁壁を有する前記稜辺部に設けるとともに、前記絶縁壁を有する稜辺部に対向する他の前記稜辺部に設けた構成である。
【００１７】
上記構成により、重心の安定が取り易く、実装基板への実装時における安定性がよい。
【００１８】
本発明の請求項３に記載の発明は、特に、前記端子ピンは、前記突起部の内側面よりも外側に位置するように植設した構成である。
【００１９】
上記構成により、端子ピンはボビンに巻回した巻線よりも遠ざかるので、端子ピンと巻線の端部とを半田接続する際、一般的には半田槽に端子ピンを浸漬するが、半田熱によってボビンに巻回した巻線の絶縁被覆を溶融したり、半田がボビンに巻回している巻線に付着したりすることを防止できる。
【００２０】
特に、端子ピンは突起部の内側面に位置するように植設しているので、突起部の内側面を軸として、端子ピンとボビンに巻回した巻線とを仕切る仕切板を配置し、半田接続用の半田槽に端子ピンを浸漬すれば、異なる稜辺部に植設した端子ピンに対しても、同時にすべての端子ピンに半田接続することができるとともに、ボビンに巻回した巻線への悪影響も防止できる。
【００２１】
本発明の請求項４に記載の発明は、特に、他の前記稜辺部に設けた前記突起部は、前記端子ピンを植設した前記稜辺部に設けた前記突起部の内側面の延長線よりも内側に位置するように配置した構成である。
【００２２】
上記構成により、他の稜辺部に設けた突起部と、端子ピンを植設した稜辺部に設けた突起部の内側面の延長線とは交差せず、それらの間には空隙部が生じるので、端子ピンに巻線の端部をからげる際、各々の突起部が邪魔にならず、からげ易くできる。
【００２３】
本発明の請求項５に記載の発明は、特に、前記端子ピンは、少なくとも２つ設け、２つの前記端子ピン間に前記突起部を配置するとともに、２つの前記端子ピンを結ぶ連結線が前記突起部の内側面よりも外側に位置するように配置した構成である。
【００２４】
上記構成により、１つの稜辺に端子ピンを複数設けても、請求項３の効果を得ることができる。
【００２５】
【発明の実施の形態】
以下、本発明の実施の形態を用いて、全請求項に記載の発明について図面を参照しながら説明する。
【００２６】
図１は本発明の一実施の形態におけるラインフィルタの下面側斜視図、図２は同ラインフィルタの斜視図、図３は同ラインフィルタの端子ピンを植設した端子台の下面側平面図、図４は同ラインフィルタの正面図、図５は同ラインフィルタの側面図、図６は同ラインフィルタの分解斜視図である。
【００２７】
図１〜図６において、本発明の一実施の形態におけるラインフィルタは、巻軸方向に貫通孔を有し、巻軸に巻線１１を巻回したボビン１２と、このボビン１２の貫通孔に一方の磁脚１３を挿入し、一方の磁脚１３に対向した他方の磁脚１４をボビン１２の外側に配置した日の字形状の閉磁路磁芯１５と、ボビン１２および閉磁路磁芯１５を載置するとともに、複数の稜辺部１６で中心を囲うように開口部１７を有したロ字形状の端子台１８と、この端子台１８の稜辺部１６の実装面側に有した突起部１９と、端子台１８の稜辺部１６に有し、閉磁路磁芯１５の他方の磁脚１４とボビン１２との間に突出させた絶縁壁２０と、端子台１８の実装面側の稜辺部１６に植設した端子ピン２１とを備えている。
【００２８】
この際、ボビン１２は端子台１８の稜辺部１６の内側面２４に形成した係止部によって、閉磁路磁芯１５は端子台１８の稜辺部１６の上面によって端子台１８に支持され載置されており、端子台１８の稜辺部１６の実装面側に有した突起部１９は実装基板と接触して、端子台１８と実装基板との一定の距離が保持されている。
【００２９】
また、ボビン１２は、端子台１８の開口部１７から実装面側に向かって端子台１８の下面よりも突出させるとともに、突起部１９は絶縁壁２０を有する稜辺部１６に設けた突起部１９の幅（Ｗ１）よりも他の稜辺部１６に設けた突起部１９の幅（Ｗ２）を大きくしている。
【００３０】
さらに、端子ピン２１は、端子台１８の絶縁壁２０を有する稜辺部１６に設けるとともに、絶縁壁２０を有する稜辺部１６に対向する他の稜辺部１６に設けている。
【００３１】
この端子ピン２１は、各々の稜辺部１６に少なくとも２つ設け、２つの端子ピン２１間に突起部１９を配置するとともに、２つの端子ピン２１を結ぶ連結線２３が突起部１９の内側面２４よりも外側に位置するように配置し、端子ピン２１が突起部１９の内側面２４よりも外側に位置する箇所に植設している。
【００３２】
そして、他の稜辺部１６に設けた突起部１９は、端子ピン２１を植設した稜辺部１６に設けた突起部１９の内側面２４の延長線よりも内側に位置するように配置している。
【００３３】
上記構成により、ボビン１２は端子台１８の開口部１７から実装面側に向かって端子台１８の下面２２よりも突出するので、端子台１８の厚みを極力薄くでき高さを低減できる。
【００３４】
特に、端子台１８を薄くしても、絶縁壁２０を有する稜辺部１６に設けた突起部１９の幅（Ｗ１）よりも他の稜辺部１６に設けた突起部１９の幅（Ｗ２）を大きくしているので、稜辺部１６の強度の低下を抑制し、端子台１８の歪みや撓みを防止することができる。
【００３５】
この際、絶縁壁２０を有する稜辺部１６は、絶縁壁２０によって、ある程度の強度を保持しており、その分、突起部１９は小さくても構わない。
【００３６】
また、端子ピン２１は、端子台１８の絶縁壁２０を有する稜辺部１６に設けるとともに、絶縁壁２０を有する稜辺部１６に対向する他の稜辺部１６に設けているので、重心の安定が取り易く、実装基板への実装時における安定性がよい。
【００３７】
この際、端子ピン２１は、突起部１９の内側面２４よりも外側に位置するように植設しているので、端子ピン２１はボビン１２に巻回した巻線１１よりも遠ざかり、端子ピン２１と巻線１１の端部とを半田接続する際、一般的には半田槽に端子ピン２１を浸漬するが、半田熱によってボビン１２に巻回した巻線１１の絶縁被覆を溶融したり、半田がボビン１２に巻回している巻線１１に付着したりすることを防止できる。
【００３８】
特に、端子ピン２１は突起部１９の内側面２４よりも外側に位置するように植設しているので、突起部１９の内側面２４を軸として、端子ピン２１とボビン１２に巻回した巻線１１とを仕切る仕切板を配置し、半田接続用の半田槽に端子ピン２１を浸漬すれば、異なる稜辺部１６に植設した端子ピン２１に対しても、同時にすべての端子ピン２１に半田接続することができるとともに、ボビン１２に巻回した巻線１１への悪影響も防止できる。
【００３９】
さらに、端子ピン２１は、少なくとも２つ設け、２つの端子ピン２１間に突起部１９を配置するとともに、２つの端子ピン２１を結ぶ連結線２３が突起部１９の内側面２４よりも外側に位置するように配置して、１つの稜辺に端子ピン２１を複数設けても、上記と同様の効果を得ることができる。
【００４０】
そして、他の稜辺部１６に設けた突起部１９は、端子ピン２１を植設した稜辺部１６に設けた突起部１９の内側面２４の延長線よりも内側に位置するように配置しているので、他の稜辺部１６に設けた突起部１９と、端子ピン２１を植設した稜辺部１６に設けた突起部１９の内側面２４の延長線とは交差せず、それらの間には空隙部２５が生じるので、端子ピン２１に巻線１１の端部をからげる際、各々の突起部１９が邪魔にならず、からげ易くできる。
【００４１】
このように本発明の一実施の形態によれば、端子台１８の厚みを極力薄くできるとともに、端子台１８を薄くしても稜辺部１６の強度の低下を抑制し、端子台１８の歪みや撓みを防止することができ、信頼性を損なわず高さを低減することができる。
【００４２】
【発明の効果】
以上のように本発明によれば、ボビンは端子台の開口部から実装面側に向かって端子台の下面よりも突出するので、端子台の厚みを極力薄くでき高さを低減できる。特に、端子台を薄くしても、絶縁壁を有する稜辺部に設けた突起部の幅よりも他の稜辺部に設けた突起部の幅を大きくしているので、稜辺部の強度の低下を抑制し、端子台の歪みや撓みを防止することができる。
【００４３】
この結果、端子台を薄くしても端子台を形成する稜辺部に歪みや撓みが生じるのを抑制し、高さを低減したラインフィルタを提供することができる。
【図面の簡単な説明】
【図１】本発明の一実施の形態におけるラインフィルタの下面側斜視図
【図２】同ラインフィルタの斜視図
【図３】同ラインフィルタの端子ピンを植設した端子台の下面側平面図
【図４】同ラインフィルタの正面図
【図５】同ラインフィルタの側面図
【図６】同ラインフィルタの分解斜視図
【図７】従来のラインフィルタの斜視図
【図８】同ラインフィルタの下面図
【符号の説明】
１１  巻線
１２  ボビン
１３  一方の磁脚
１４  他方の磁脚
１５  閉磁路磁芯
１６  稜辺部
１７  開口部
１８  端子台
１９  突起部
２０  絶縁壁
２１  端子ピン
２２  下面
２３  連結線
２４  内側面
２５  空隙部
【図１】
2005026496.tif 000003
【図２】
2005026496.tif 000004
【図３】
2005026496.tif 000005
【図４】
2005026496.tif 000006
【図５】
2005026496.tif 000007
【図６】
2005026496.tif 000008
【図７】
2005026496.tif 000009
【図８】
2005026496.tif 000010